(57)【要約】【課題】放熱性に優れた給水装置を提供する。【解決手段】実施形態にかかる給水装置は、ハウジング内に形成される収容部第１エリアに配される複数のポンプ装置と、前記収容部内の前記第１エリアの一方側の第２エリアに配されるとともに、前記ポンプ装置に接続される制御機器を備える制御盤と、前記収容部内の前記第１エリアの他方側の第３エリアに配され、前記ポンプ装置に接続される配管を有する配管ユニットと、前記ポンプ装置と前記制御盤との間に配される第１の吸気ボックスと、前記吸気ボックス内に形成される空間に連通するとともに、下方に延びる流路を構成する第１のダクトと、を備える第１の吸気ユニットと、を備える。【選択図】図３
2019190337.tif 000002
【特許請求の範囲】
【請求項１】
ハウジング内に形成される収容部の第１エリアに配される複数のポンプ装置と、
前記収容部内の前記第１エリアの一方側の第２エリアに配されるとともに、前記ポンプ装置に接続される制御機器を備える制御盤と、
前記収容部内の前記第１エリアの他方側の第３エリアに配され、前記ポンプ装置に接続される配管を有する配管ユニットと、
前記ポンプ装置と前記制御盤との間に配される第１の吸気ボックスと、前記第１の吸気ボックス内に形成される空間に連通するとともに、下方に延びる流路を構成する第１のダクトと、を備える第１の吸気ユニットと、
を備える、給水装置。
【請求項２】
前記第１のダクトは、前記ポンプ装置の背面側の前記ハウジングの壁に設けられ
前記第１の吸気ユニットは、前記制御盤に配されるインバータの軸流ファンの吸込口に連通する流路を構成する、請求項１に記載の給水装置。
【請求項３】
前記ポンプ装置は、ポンプ部と、前記ポンプ部上に配されるモータと、を備え、
前記ポンプ装置の前記モータの上部に配される第２の吸気ボックスと、一端側が前記第２の吸気ボックス内の流路に連通するとともに下方に延びる第２のダクトと、を備える、請求項１または請求項２に記載の給水装置。
【請求項４】
前記第１の吸気ボックスは吸音材で構成された、請求項１または請求項２に記載の給水装置。
【請求項５】
前記制御機器は、前記ポンプ装置に設けられるモータを駆動するインバータを備え、
前記第２エリアに配されたベースフレームの前面に、前記制御機器としてインバータが搭載され、
前記ベースフレームと前記インバータの間に、空隙が形成される、請求項１乃至請求項４のいずれか１項に記載の給水装置。
【請求項６】
前記第１の吸気ボックスは、複数の前記インバータの下部に対向する複数の個別孔部を有し、前記インバータの下部に配される第１吸気部材と、
前記複数の個別孔部に連通する共通孔部を有し、前記第１吸気部材に積層される第２吸気部材と、
前記第２吸気部材に積層され、前記共通孔部を覆うとともに、前記第１のダクトが通るダクト開口を有する第３吸気部材と、を備える、請求項５に記載の給水装置。
【発明の詳細な説明】
【技術分野】
【０００１】
本発明は、放熱性の高い給水装置に関する。
【背景技術】
【０００２】
直結給水装置等の給水装置において、例えば、架台と防滴用のポンプカバーとで構成される収容部に、モータを備えるポンプ装置、配管、アキュムレータ、及び制御盤等の構成品が収容されたパッケージ型の給水装置が知られている（例えば、特許文献１参照）。
【先行技術文献】
【特許文献】
【０００３】
【特許文献１】特開２００１−５０１６８号公報
【発明の概要】
【発明が解決しようとする課題】
【０００４】
このような給水装置はポンプカバー内におけるモータや制御基板の発熱による温度上昇を抑制する技術が望まれている。一方で、屋外で使用されることも多く、防音性が求められる。
【０００５】
そこで、本発明は放熱性の高い給水装置を提供することを目的とする。
【課題を解決するための手段】
【０００６】
実施形態にかかる給水装置は、ハウジング内に形成される収容部第１エリアに配される複数のポンプ装置と、前記収容部内の前記第１エリアの一方側の第２エリアに配されるとともに、前記ポンプ装置に接続される制御機器を備える制御盤と、前記収容部内の前記第１エリアの他方側の第３エリアに配され、前記ポンプ装置に接続される配管を有する配管ユニットと、前記ポンプ装置と前記制御盤との間に配される第１の吸気ボックスと、前記吸気ボックス内に形成される空間に連通するとともに、下方に延びる流路を構成する第１のダクトと、を備える第１の吸気ユニットと、を備える。
【発明の効果】
【０００７】
本発明によれば放熱性の高い給水装置を提供することができる。
【図面の簡単な説明】
【０００８】
【図１】本発明の一実施形態にかかる給水装置の外観構成を示す正面図。
【図２】同給水装置の内部構成を一部断面で示す正面図。
【図３】同給水装置の内部構成を一部断面で示す正面図。
【図４】同給水装置の内部構成を一部断面で示す側面図。
【図５】同給水装置の内部構成を一部断面で示す側面図。
【図６】同給水装置の内部構成を一部断面で示す平面図。
【図７】同給水装置の内部構成を一部断面で示す平面図。
【図８】同給水装置の第１の吸気ユニットの構成を示す平面図。
【図９】同給水装置の第１の吸気ユニットの構成を示す断面図。
【図１０】同給水装置の第１の吸気ユニットの第１吸気部材の構成を示す断面図。
【図１１】同給水装置の第１の吸気ユニットの第２吸気部材の構成を示す断面図。
【図１２】同給水装置の第１の吸気ユニットの第３吸気部材の構成を示す断面図。
【図１３】同給水装置の第２の吸気ユニットの構成を示す平面図。
【図１４】同給水装置の第２の吸気ユニットの構成を示す断面図。
【図１５】同給水装置の第２の吸気ユニットの第１吸気部材の構成を示す断面図。
【図１６】同給水装置の第２の吸気ユニットの第２吸気部材の構成を示す断面図。
【図１７】同給水装置の第２の吸気ユニットの第３吸気部材の構成を示す断面図。
【発明を実施するための形態】
【０００９】
以下、本発明の一実施形態にかかる給水装置１０について、図１乃至図１４を参照して説明する。図１は本発明の一実施形態にかかる給水装置１０の外観を示す正面図であり、図２は吸込管を通る断面を正面側から見た説明図、図３は給水装置１０の吐出管を通る断面を正面側から見た説明図である。図４及び図５は給水装置１０の断面を側方から見た説明図である。図６及び図７は給水装置１０の内部構成を上から見た図である。図８乃至１２は第１の吸気ユニット１６の構成を示す説明図であり、図８は第１の吸気ユニット１６の平面図、図９は第１の吸気ユニット１６の断面図、図１０は第１吸気部材、図１１は第２吸気部材、図１２は第３吸気部材の断面図である。図１３乃至１７は第２の吸気ユニット１７の構成を示す説明図であり、図１３は第２の吸気ユニット１７の平面図、図１４は第２の吸気ユニット１７の断面図、図１５は第１吸気部材、図１６は第２吸気部材、図１７は第３吸気部材の断面図である。
【００１０】
図１乃至図７に示すように、給水装置１０は、ハウジング１１と、複数のポンプ装置１２と、配管ユニット１３と、アキュムレータ１４と、制御盤１５と、第１の吸気ユニット１６と、第２の吸気ユニット１７と、を備える。
【００１１】
給水装置１０は、ハウジング１１内に形成された空間である収容部Ａ内に、複数のポンプ装置１２、配管ユニット１３、アキュムレータ１４、制御盤１５、第１の吸気ユニット１６、第２の吸気ユニット１７、などの構成部品を収納した、パッケージ型の直結給水装置である。
【００１２】
ハウジング１１は、架台１８と、ポンプカバー１９と、を備える。架台１８と、ポンプカバー１９とにより収容部Ａが形成される。
【００１３】
架台１８は、例えば、複数のフレーム部材２５及び複数のパネル部材２７を備え、底壁部１８ａと、前壁部１８ｂと、後壁部１８ｃと、一対の側壁部１８ｄと、第１支持フレーム部１８ｅと、第２支持フレーム部１８ｆと、を備える。
【００１４】
底壁部１８ａ、前壁部１８ｂ、後壁部１８ｃ、及び一対の側壁部１８ｄは、それぞれ、複数のフレーム部材２５と、壁を構成する薄板状のパネル部材２７と、をそれぞれ備える。
【００１５】
底壁部１８ａを構成するパネル部材２７には、逆流防止装置や配管などに結露した水が落下した場合に外部に漏水しないように水を受ける、ドレンパン２８が設けられている。
【００１６】
架台の前壁部１８ｂ及び一対の側壁部１８ｄは、上端縁が第１支持フレーム部１８ｅと同等の高さに配される。一対の側壁部１８ｄには吸込フランジ３１ｂが配置可能な孔部１８ｇが設けられている。
【００１７】
第１支持フレーム部１８ｅは、例えば第１方向及び第２方向にそれぞれ伸びる複数のフレーム部材２５が組付けられた枠体を備える。第１支持フレーム部１８ｅはパネル部材で塞がれておらず、複数のフレーム部材２５は互いに離間して配置されているため、フレーム部材２５間の空間から、メンテナンス作業が可能である。
【００１８】
第２支持フレーム部１８ｆは、例えば第１方向及び第２方向にそれぞれ伸びる複数のフレーム部材２５を有する枠体と、水平に配される薄板のパネル部材２７と、を備える。
【００１９】
架台１８を構成する各フレーム部材２５は、鋼板が断面コ字状に折曲加工され、一方向に長く構成されている。
【００２０】
第１支持フレーム部１８ｅ及び第２支持フレーム部１８ｆにより、収容部Ａは、高さ方向において、３つの第１エリアＡ１、第２エリアＡ２、第３エリアＡ３に分けられている。第１支持フレーム部１８ｅ及び第２支持フレーム部１８ｆの間の第１エリアＡ１には複数のポンプ装置１２、アキュムレータ１４及び配管ユニット１３の一部が配されている。第１支持フレーム部１８ｅの下側の第２エリアＡ２には、逆流防止装置３３，３４を含む配管ユニット１３の一部が配されている。第２支持フレーム部１８ｆの上側の第３エリアＡ３には、制御盤１５が配されている。
【００２１】
インバータ５４の下側の第２エリアＡ２には吸気ボックス６０が配され、第１エリアのポンプ装置１２上に吸気ボックス７０が配されている。
【００２２】
ポンプカバー１９は、フロントカバー部１９ａとアッパ−カバー部１９ｂと一対のサイドカバー部１９ｃ，１９ｄと、を備える。ポンプカバー１９は架台１８を上から覆い、架台１８に組付けられる。架台１８とポンプカバー１９とは、収容空間を形成し、内部の機器を保護する、防滴機能を有する。ポンプカバー１９のフロントカバー部１９ａには内部の表示基板を確認するための窓部１９ｅが設けられている。またサイドカバー部１９ｃ，１９ｃは吐出管３２ｃの吐出フランジ３２ｅが配置可能な孔部１９ｇが設けられている。一対のサイドカバー部１９ｃ，１９ｃは同じ形状であり、配管ユニット１３を左右どちらの向きとしても接続可能になっている。
【００２３】
ポンプ装置１２は、モータ２１と、モータ２１に接続されたインペラを有する１段または複数段のポンプ２３（ポンプ部）と、を備え、流体を増圧して二次側に圧送するタービンポンプである。本実施形態においては縦置きのポンプ装置１２が、３台、第１方向に並んで設置されている。
【００２４】
ポンプ２３は、下端部にポンプ吸込口２３ａを有し、正面部にポンプ吐出口２３ｂを有している。ポンプ吸込口２３ａには配管ユニット１３の吸込連結管３１ｆが接続される。ポンプ吐出口２３ｂには個別吐出流路を形成する個別吐出管３２ａが接続される。
【００２５】
各モータ２１はケーブルを介して制御盤１５に接続されている。ポンプ装置１２は、制御盤１５に設けられる制御部の制御によりモータ２１が駆動されることで、運転制御される。モータ２１は上端部に配されるモータファン２１ｂと、モータファン２１ｂの外周部分を覆うファンカバー２１ｃと、を備える。ファンカバー２１ｃの上端面にはファン吸込口２１ｄが形成されている。
【００２６】
配管ユニット１３は、ポンプ２３の一次側に接続される吸込側配管ユニット３１と、ポンプ２３の二次側に接続される吐出側配管ユニット３２と、を備える。
【００２７】
吸込側配管ユニット３１は、一端に吸込口３１ａを有する吸込フランジ３１ｂと、ストレーナが内蔵されたストレーナ内蔵管部３１ｃと、逆流防止装置３３と、ボール弁が内蔵されたボール弁内蔵管部３１ｄと、上方に屈曲する吸込側曲管部３１ｅと、複数に分岐するとともにボール弁が内蔵された複数の個別流路を構成する吸込連結管３１ｆと、を一次側から順番に備える。また、吸込側配管ユニット３１は、吸込側曲管部３１ｅの屈曲部から分岐して水平に伸びる副管部３１ｇを備える。副管部３１ｇには第２の逆流防止装置３４が設けられる。
【００２８】
吸込連結管３１ｆは第１支持フレーム部１８ｅ上に支持されて水平に延び、吐出連結管３２ｂと並列に配置されている。
【００２９】
吐出側配管ユニット３２は、ポンプ吐出口２３ｂに接続される複数の個別吐出管３２ａと、複数の個別吐出管３２ａが合流するとともにボール弁が内蔵された吐出連結管３２ｂと、吐出連結管３２ｂの二次側に接続された吐出管３２ｃと、を一次側から順番に備える。
【００３０】
逆流防止装置３３は、流路における液体の流れの方向を一方向に規制する。逆流防止装置３３の下部に逃がし弁部３３ｄが設けられている。逃がし弁部３３ｄは逆流防止装置３３から下方に延び、漏水検知電極が設けられている。
【００３１】
個別吐出管３２ａ内であってポンプ吐出口に近い所定箇所には、流れ方向を一方向に規制する逆止弁が設けられている。また、個別吐出管３２ａの中途部には、個別吐出管３２ａ内の液体の流量を検出する流量検出部である流量センサがそれぞれ設けられている。
【００３２】
吐出連結管３２ｂは第１支持フレーム部１８ｅ上に支持されて水平に延び、吸込連結管３１ｆと並列に配置されている。
【００３３】
吐出管３２ｃは、吐出管３２ｃは吐出口３２ｄを有する吐出フランジ３２ｅを備え、給水先に接続される。吐出管３２ｃにはポンプ２３の二次側のポンプ吐出圧力を検出する圧力センサが設けられている。吐出連結管３２ｂの他端側には、圧力を蓄えるためのアキュムレータ１４が接続される。
【００３４】
アキュムレータ１４は、ポンプ装置１２に隣接して第２エリアＡ２に設けられる。アキュムレータ１４は、中心軸が縦向きになるように、鉛直に配設されている。アキュムレータ１４は接続配管を介して吐出連結管３２ｂに接続されている。
【００３５】
吐出連結管３２ｂと吸込連結管３１ｆとはバイパス連結部３１ｈにより接続されている。バイパス連結部３１ｈ内の所定箇所には、流れ方向を、吸込側から吐出し側の一方向に規制する逆止弁が設けられている。
【００３６】
制御盤１５は、ベースフレーム５１と、ベースフレーム５１の前面である搭載面に搭載された各種の制御機器５２と、を備える。
【００３７】
制御機器５２として、各ポンプに接続される複数のインバータ５４と、ノイズフィルタ基板５６と、主制御基板５５と、操作・表示基板５７と、各ポンプ装置１２に接続される複数の漏電遮断器５８と、インバータ５４毎に対応して設けられた複数の直流リアクトル５９とを備える。
【００３８】
ベースフレーム５１は、搭載面側である前面に加え、両側面、上面、及び下面が開放されている。すなわち、ベースフレーム５１の、フロアフレーム部５１ｂ上であってバックフレーム部５１ａ前の搭載領域に配された制御機器５２は、前方、上方、下方及び両側方が開放され、収容空間内に露出している。言い換えると、制御機器５２を収容する制御盤１５用のキャビネットは無く、ポンプカバー１９及び架台１８が制御盤１５を外部から覆うカバー部材としての機能を有する。ベースフレーム５１の搭載面側である前面とインバータ５４との間には空隙が形成される。
【００３９】
バックフレーム部５１ａは、矩形状であり、架台１８の後壁部のパネル部材の幅方向片側の所定位置に締結されて支持されている。バックフレーム部５１ａは、架台１８の後壁部の前方に所定距離離間した位置に支持され、収容空間内において立設される。
【００４０】
フロアフレーム部５１ｂは、バックフレーム部５１ａの下縁部に設けられ、バックフレーム部５１ａの下縁部から前方に延びる矩形状に構成され、その中央部のほとんどが下方に開放されている。バックフレーム部５１ａの前面である搭載領域に、各種の制御機器５２が搭載される。
【００４１】
３台のインバータ５４は、制御盤１５の一方側であって３台のポンプ装置１２の上部において幅方向に３台並列に配置されている。
【００４２】
各インバータ５４には平滑コンデンサや軸流ファンが内蔵されている。軸流ファンはインバータの下部に配置され、吸込口が下面側に向いている。インバータ５４は、モータケーブルによってポンプ装置１２のモータ２１に電気的に接続されている。インバータ５４は主制御基板５５からの制御信号に応じた所定の周波数を出力することで、ポンプ装置１２のモータ２１を所定の回転速度で回転させる。
【００４３】
主制御基板５５は複数のインバータ５４の他方側に配されている。主制御基板５５は、インバータ５４を制御する制御回路を有する。
【００４４】
ノイズフィルタ基板５６は、バックフレーム部５１ａの前側であって、インバータ５４の後側の領域に、搭載されている。
【００４５】
操作・表示基板５７は、複数のインバータ５４の他方側に配されている。操作・表示基板５７は、ユーザが入力操作を行う操作部と、各種情報を表示する表示部とを備える。
【００４６】
複数の漏電遮断器５８は、インバータ５４の上部に設けられている。各漏電遮断器５８は、３台のポンプにそれぞれ接続される。
【００４７】
直流リアクトル５９は、インバータの力率改善用であり、各インバータ５４の後ろ側の領域に、それぞれ配されている。
【００４８】
制御盤１５はボックス型ではなく、制御盤１５の搭載面側である正面側すなわち前方や、側方が開放されており、下方に配される矩形状のフロアフレーム部５１ｂも、その中央部のほとんどが下方に開放され、制御機器５２が露出している。言い換えると、各種の制御機器５２は、バックフレーム部５１ａによって背面側である後方が覆われている。
【００４９】
図８乃至図１２に示すように、第１の吸気ユニット１６は、制御盤１５の下部に設けられた吸気ボックス６０（第１の吸気ボックス）と、吸気ボックス６０から下方に延びるダクト６４（第１のダクト）と、を備える。吸気ボックス６０は、インバータ５４の下部に配される第１吸気部材６１と、第１吸気部材６１の下側に積層される第２吸気部材６２と、第２吸気部材６２の下側に積層される第３吸気部材６３と、を備える。
【００５０】
第１吸気部材６１は、３台のインバータ５４の下部の領域を含む所定の外形を有する板状に構成されている。例えば本実施形態において、第１吸気部材６１は長方形の外形を有し、複数のインバータ５４の下部に配される矩形の個別孔部６１ａがそれぞれ形成されている。個別孔部６１ａはインバータ５４の軸流ファンの吸気部である吸込口が対向する部位に形成されている。第１吸気部材６１は、インバータ５４の下部に密着して被せられる。
【００５１】
第２吸気部材６２は、第１吸気部材６１と同じ長方形の外形を有する板状部材であり、第１吸気部材６１の下側に積層され、例えば接着により接合されている。第２吸気部材６２は、複数の個別孔部６１ａの下側に配され、複数の個別孔部６１ａに連通する共通孔部６２ａを有する。共通孔部６２ａは、一対の個別孔部６１ａを含む領域に形成される貫通孔であり，例えば長方形状に構成されている。また、第２吸気部材６２の後端縁には、共通孔部６２ａから外縁に至って切り欠かれたスリット６２ｂが形成されている。スリット６２ｂは、スリット６２ｂ内にダクト６４が配された際に、ダクト６４の上部開口６４ｂと共通孔部６２ａとを連通する。
【００５２】
第３吸気部材６３は第２吸気部材６２の下側に、積層され、例えば接着により接合される。第３吸気部材６３は、第１吸気部材６１及び第２吸気部材６２と同じ長方形の外形を有する板状部材である。第３吸気部材６３の後端縁にはダクト６４が貫通するダクト開口
であるダクト凹部６３ａが形成されている。ダクト凹部６３ａはダクト６４の外面形状に沿う形状の凹みであり、上下方向に貫通するスリットである。第３吸気部材６３は、ダクト６４の上部開口６４ｂと共通孔部６２ａの下側を覆う。
【００５３】
第１吸気部材６１、及び第２吸気部材６２、第３吸気部材６３は、例えば多孔質のウレタンフォームなどの発泡性樹脂材料から形成された吸音材で構成されている吸気ボックス６０は、インバータ５４の下部に密着して配された際に、インバータ５４の下部からダクト６４の上部開口６４ｂに至る空間６０ａを形成する。
【００５４】
ダクト６４は、上下方向に延びるダクト部材６４ａを備える。一例として、ダクト部材６４ａは金属板が、断面Ｕ字状に曲成されて構成されている。
【００５５】
ダクト部材６４ａは、例えばアキュムレータ１４の後ろ側の所定箇所の架台１８の後壁部１８ｃに対向して取り付けられている。ダクト部材６４ａは、後壁部１８ｃとともに、上下方向に延びる流路を形成する。
【００５６】
ダクト６４の上部開口６４ｂは、吸気ボックス６０内の所定位置に至り、吸気ボックス６０内に連通している。ダクト６４の下端部６４ｃは、第１支持フレーム部１８ｅの近傍に延び、下方に開口している。すなわち、ダクト６４と吸気ボックス６０により、ポンプ装置１２の下方の空間と、インバータ５４の下側とを接続する縦長の流路が形成される。第１の吸気ユニット１６は、インバータ５４の軸流ファンの吸込口に連通する流路を構成する。
【００５７】
なお、ダクト６４は本実施形態においては、交互運転される３台のインバータ５４に対して共通して１本のみ設けられ、ダクト６４の断面積は、同時運転される２台のポンプ装置１２の冷却に必要な風量に応じて設定される。
【００５８】
図１３乃至図１７に示すように、第２の吸気ユニット１７は、ポンプ装置１２上に設けられる第２の吸気ボックス７０と、第２の吸気ボックス７０から下方に延びるダクト７４（第２のダクト）と、を備える。
【００５９】
第２の吸気ボックス７０は、３台のポンプ装置１２のモータ２１のファン吸込口２１ｄが配された上端部に配される。吸気ボックス７０は、モータ２１の上部に密着して配される第１吸気部材７１と、第１吸気部材７１上に配される第２吸気部材７２と、第２吸気部材７２上に配される第３吸気部材７３とが積層されて構成されている。
【００６０】
第１吸気部材７１は、一対のモータ２１の上部の領域を含む所定の外形を有する板状に構成されている。例えば本実施形態において、第１吸気部材７１は長方形の外形を有し、複数のモータ２１の上部に配される円形の個別孔部７１ａがそれぞれ形成されている。個別孔部７１ａはモータ２１のファン吸込口２１ｄが対向する部位に形成されている。第１吸気部材７１の後端縁にはダクト７４が貫通するダクト凹部７１ｂが形成されている。ダクト凹部７１ｂはダクト７４の外面形状に沿う形状の凹みであり、上下方向に貫通するスリットである。第１吸気部材７１は、モータ２１の上部に密着して被せられる。
【００６１】
第２吸気部材７２は、第１吸気部材７１と同じ長方形の外形を有する板状部材であり、第１吸気部材７１上に積層され、例えば接着により接合されている。第２吸気部材７２は、複数の個別孔部７１ａ上に配され、複数の個別孔部７１ａに連通する共通孔部７２ａを有する。共通孔部７２ａは、一対の個別孔部７１ａを含む領域に形成される貫通孔であり，例えば長円形状に構成されている。また、第２吸気部材７２の後端縁には、共通孔部７２ａから外縁に至って切り欠かれたスリット７２ｂが形成されている。スリット７２ｂは、スリット７２ｂ内にダクト７４が配された際に、ダクト７４の上部開口７４ｂと共通孔部７２ａとを連通する。
【００６２】
第３吸気部材７３は第２吸気部材７２上に積層され、例えば接着により接合される。第３吸気部材７３は、第１吸気部材７１及び第２吸気部材７２と同じ長方形の外形を有する板状部材である。第３吸気部材７３は、ダクト７４の上部開口７４ｂと共通孔部７２ａの上側を覆う。第１吸気部材７１、第２吸気部材７２、及び第３吸気部材７３は、例えば多孔質のウレタンフォームなどの吸音材で構成されている。ポンプ装置１２に設けられるモータ２１の上部に密着して配された際に、モータ２１の上面からダクト７４の上部開口７４ｂに至る空間７０ａを形成する。
【００６３】
ダクト７４は、上下方向に延びるダクト部材７４ａを備える。一例として、ダクト部材７４ａは金属板が、断面Ｕ字状に曲成されて構成されている。
【００６４】
ダクト部材７４ａは、架台１８の後壁部であって、一対のポンプ装置１２の間の後ろ側である所定箇所に対向して取り付けられている。ダクト部材７４ａは、後壁部とともに、上下方向に延びる流路を形成する。
【００６５】
ダクト７４の上部開口７４ｂは、吸気ボックス７０内の所定位置に至り、吸気ボックス７０内に連通している。ダクト７４の下端部７４ｃは、第１支持フレーム部１８ｅの近傍に延びている。すなわち、ダクト７４と吸気ボックス７０により、ポンプ装置１２の下方の空間と、ポンプ装置１２の上端部とを接続する縦長の流路が形成される。
【００６６】
なお、ダクト７４は本実施形態においては、交互運転される３台のポンプ装置１２の間に、２本設けられ、ダクト７４の断面積は、１台分の風量に応じて設定される。
【００６７】
以上のように構成された給水装置１０において、インバータ５４の下部に吸気ボックス６０を配置するとともに吸気ボックス６０に連通するダクト６４を備えることで、下方の空気をインバータ５４の吸気部に案内できる。これにより、インバータ５４の軸流ファンが、給水装置下部の冷たい空気を吸気するため、インバータ５４冷却効果を高めることが可能となる。すなわち、一般的に、狭い収容空間内の上段に、制御盤１５が配置される給水装置において、制御盤の排熱がポンプカバー１９内に蓄積し、給水装置全体の温度上昇が高くなるが、上記本実施形態の構成によれば、下方の空気を案内できるため冷却性を向上することができる。
【００６８】
さらに、モータ２１上部に吸気ボックス６０を配置するとともに吸気ボックス６０に連通するダクト６４を備えることで、下方の空気をモータ２１の上部に案内できる。これにより、モータファン２１ｂが、給水装置１０下部の冷たい空気を吸気するため、モータ２１の冷却効果を高めることが可能となる。すなわち、一般的に、狭い収容空間内の上段に、モータ２１と制御盤１５とが隣接して配置される給水装置において、モータ２１の排熱がポンプカバー１９内に蓄積し、給水装置全体の温度上昇が高くなる傾向にあり、使用可能なモータ軸動力が制限されるが、上記本実施形態の構成によれば、下方の空気を案内できるため冷却性を向上することができる。
【００６９】
また、パッケージ型の増圧給水装置においては、一般的な受水槽用の給水装置と異なり、
屋内で使用されるケースも多いため、高い静粛性が要求されるが、上記実施形態においては吸気ボックス４０の各層を吸音材で構成することにより、防音性を向上できる。
【００７０】
また上記実施形態においては、多孔質のウレタンフォームなどの発泡性樹脂材料で製作された吸音体やパネルを三層に重ねて吸気ボックスを構成する単純な構成で、流路を構成することが可能となり、防音性と放熱性を両立できる。
【００７１】
なお、本発明は、上記実施形態に限定されるものではなく、実施段階ではその要旨を逸脱しない範囲で種々に変形することが可能である。
【００７２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００７３】
１０…給水装置、１１…ハウジング、１２…ポンプ装置、１２ｃ…上壁部、１３…配管ユニット、１４…アキュムレータ、１５…制御盤、１６…吸気ユニット、１７…吸気ユニット、１８…架台、１８ａ…底壁部、１８ｂ…前壁部、１８ｃ…後壁部、１８ｄ…側壁部、１８ｅ…第１支持フレーム部、１８ｆ…第２支持フレーム部、１８ｇ…孔部、１９…ポンプカバー、１９ａ…フロントカバー部、１９ｂ…アッパーカバー部、１９ｃ…サイドカバー部、１９ｄ…サイドカバー部、１９ｅ…窓部、１９ｇ…孔部、２１…モータ、２１ｂ…モータファン、２１ｃ…ファンカバー、２１ｄ…ファン吸込口、２３…ポンプ、２３ａ…ポンプ吸込口、２３ｂ…ポンプ吐出口、２５…フレーム部材、２７…パネル部材、２８…ドレンパン、３１…吸込側配管ユニット、３１ａ…吸込口、３１ｂ…吸込フランジ、３１ｃ…ストレーナ内蔵管部、３１ｄ…ボール弁内蔵管部、３１ｅ…吸込側曲管部、３１ｆ…吸込連結管、３１ｆ…吸込連結管部、３１ｇ…副管部、３１ｈ…バイパス連結部、３２…吐出側配管ユニット、３２ａ…個別吐出管、３２ｂ…吐出連結管、３２ｃ…吐出管、３２ｄ…吐出口、３２ｅ…吐出フランジ、３３…逆流防止装置、３３ｄ…逃がし弁部、３４…逆流防止装置、５１…ベースフレーム、５１ａ…バックフレーム部、５１ｂ…フロアフレーム部、５２…制御機器、５４…インバータ、５５…主制御基板、５６…ノイズフィルタ基板、５７…操作・表示基板、５８…漏電遮断器、５９…直流リアクトル、６０…吸気ボックス、６０ａ…空間、６１…第１吸気部材、６１ａ…個別孔部、６２…第２吸気部材、６２ａ…共通孔部、６２ｂ…スリット、６３…第３吸気部材、６３ａ…ダクト凹部、６４…ダクト、６４ａ…ダクト部材、６４ｂ…上部開口、６４ｃ…下端部、７０…吸気ボックス、７０ａ…空間、７１…第１吸気部材、７１ａ…個別孔部、７１ｂ…ダクト凹部、７２…第２吸気部材、７２ａ…共通孔部、７２ｂ…スリット、７３…第３吸気部材、７４…ダクト、７４ａ…ダクト部材、７４ｂ…上部開口、７４ｃ…下端部、Ａ１…第１エリア、Ａ２…第２エリア、Ａ３…第３エリア。
【図１】
2019190337.tif 000003
【図２】
2019190337.tif 000004
【図３】
2019190337.tif 000005
【図４】
2019190337.tif 000006
【図５】
2019190337.tif 000007
【図６】
2019190337.tif 000008
【図７】
2019190337.tif 000009
【図８】
2019190337.tif 000010
【図９】
2019190337.tif 000011
【図１０】
2019190337.tif 000012
【図１１】
2019190337.tif 000013
【図１２】
2019190337.tif 000014
【図１３】
2019190337.tif 000015
【図１４】
2019190337.tif 000016
【図１５】
2019190337.tif 000017
【図１６】
2019190337.tif 000018
【図１７】
2019190337.tif 000019
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ハウジング内に形成される収容部の第１エリアに配される複数のポンプ装置と、
前記収容部内の前記第１エリアの上側の第２エリアにおいて前記ポンプ装置の上方に配されるとともに、前記ポンプ装置に接続されるインバータ及び主制御基板を備える制御盤と、
前記収容部内の前記第１エリアの下側の第３エリアにおいて前記ポンプ装置の下方に配され、前記ポンプ装置の吸込側に接続される、吸込側配管ユニットと、
前記ポンプ装置と前記制御盤との間に配される第１の吸気ボックスと、前記第１の吸気ボックス内に形成される空間に連通するとともに、下方に延びる流路を構成する第１のダクトと、を備える第１の吸気ユニットと、
を備える、給水装置。
【請求項２】
前記第１のダクトは、前記ポンプ装置の背面側の前記ハウジングの壁に設けられ
前記第１の吸気ユニットは、前記制御盤に配されるインバータの軸流ファンの吸込口に連通する流路を構成する、請求項１に記載の給水装置。
【請求項３】
前記ポンプ装置は、ポンプ部と、前記ポンプ部上に配されるモータと、を備え、
前記ポンプ装置の前記モータの上部に配される第２の吸気ボックスと、一端側が前記第２の吸気ボックス内の流路に連通するとともに下方に延びる第２のダクトと、を備える、請求項１または請求項２に記載の給水装置。
【請求項４】
前記第１の吸気ボックスは吸音材で構成された、請求項１または請求項２に記載の給水装置。
【請求項５】
前記制御盤において、前記第２エリアに配されたベースフレームの前面に、前記ポンプ装置に設けられる前記モータを駆動する前記インバータが搭載され、
前記ベースフレームと前記インバータの間に、空隙が形成される、請求項１乃至請求項４のいずれか１項に記載の給水装置。
【請求項６】
前記収容部において前記第１エリアと前記第２エリアとの間に配される枠体を有する第１支持フレーム部と、
前記収容部において前記第１エリアと前記第３エリアとの間を仕切るパネル部材を有する第２支持フレーム部と、
前記第１エリアに配されるアキュムレータと、を備え、
前記吸込側配管ユニットは前記第１支持フレーム部の下側に配される逆流防止装置を備え、
前記第１の吸気ボックスは、前記制御盤に配される前記インバータの下部に配される孔部を有する、請求項１乃至請求項５のいずれかに記載の給水装置。
【請求項７】
ハウジング内に形成される収容部の第１エリアに配される複数のポンプ装置と、前記収容部内の前記第１エリアの一方側の第２エリアに配され、前記ポンプ装置に接続される配管を有する配管ユニットと、前記収容部内の前記第１エリアの他方側の第３エリアに配されるとともに、前記ポンプ装置に設けられるモータを駆動するインバータを備える制御盤と、前記ポンプ装置と前記制御盤との間に配される第１の吸気ボックスと、前記第１の吸気ボックス内に形成される空間に連通するとともに、下方に延びる流路を構成する第１のダクトと、を備える第１の吸気ユニットと、を備え、
前記第３エリアに配されたベースフレームの前面に、インバータが搭載され、
前記ベースフレームと前記インバータの間に、空隙が形成され、
前記第１の吸気ボックスは、複数の前記インバータの下部に対向する複数の個別孔部を有し、前記インバータの下部に配される第１吸気部材と、
前記複数の個別孔部に連通する共通孔部を有し、前記第１吸気部材に積層される第２吸気部材と、
前記第２吸気部材に積層され、前記共通孔部を覆うとともに、前記第１のダクトが通るダクト開口を有する第３吸気部材と、を備える、給水装置。
【手続補正２】
【補正対象書類名】明細書
【補正対象項目名】０００６
【補正方法】変更
【補正の内容】
【０００６】
実施形態にかかる給水装置は、ハウジング内に形成される収容部の第１エリアに配される複数のポンプ装置と、前記収容部内の前記第１エリアの上側の第２エリアにおいて前記ポンプ装置の上方に配されるとともに、前記ポンプ装置に接続されるインバータ及び主制御基板を備える制御盤と、前記収容部内の前記第１エリアの下側の第３エリアにおいて前記ポンプ装置の下方に配され、前記ポンプ装置の吸込側に接続される配管を有する、吸込側配管ユニットと、前記ポンプ装置と前記制御盤との間に配される第１の吸気ボックスと、前記第１の吸気ボックス内に形成される空間に連通するとともに、下方に延びる流路を構成する第１のダクトと、を備える第１の吸気ユニットと、を備える。
【手続補正３】
【補正対象書類名】明細書
【補正対象項目名】００２１
【補正方法】変更
【補正の内容】
【００２１】
インバータ５４の下側には吸気ボックス６０が配され、第１エリアのポンプ装置１２上に吸気ボックス７０が配されている。
【手続補正４】
【補正対象書類名】明細書
【補正対象項目名】００７２
【補正方法】変更
【補正の内容】
【００７２】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下に、本願出願の当初の特許請求の範囲に記載された発明を付記する。
（１）ハウジング内に形成される収容部の第１エリアに配される複数のポンプ装置と、前記収容部内の前記第１エリアの一方側の第２エリアに配されるとともに、前記ポンプ装置に接続される制御機器を備える制御盤と、前記収容部内の前記第１エリアの他方側の第３エリアに配され、前記ポンプ装置に接続される配管を有する配管ユニットと、前記ポンプ装置と前記制御盤との間に配される第１の吸気ボックスと、前記第１の吸気ボックス内に形成される空間に連通するとともに、下方に延びる流路を構成する第１のダクトと、を備える第１の吸気ユニットと、を備える、給水装置。
（２）前記第１のダクトは、前記ポンプ装置の背面側の前記ハウジングの壁に設けられ前記第１の吸気ユニットは、前記制御盤に配されるインバータの軸流ファンの吸込口に連通する流路を構成する、（１）に記載の給水装置。
（３）前記ポンプ装置は、ポンプ部と、前記ポンプ部上に配されるモータと、を備え、前記ポンプ装置の前記モータの上部に配される第２の吸気ボックスと、一端側が前記第２の吸気ボックス内の流路に連通するとともに下方に延びる第２のダクトと、を備える、（１）または（２）に記載の給水装置。
（４）前記第１の吸気ボックスは吸音材で構成された、（１）または（２）に記載の給水装置。
（５）前記制御機器は、前記ポンプ装置に設けられるモータを駆動するインバータを備え、前記第２エリアに配されたベースフレームの前面に、前記制御機器としてインバータが搭載され、前記ベースフレームと前記インバータの間に、空隙が形成される、（１）乃至（４）のいずれかに記載の給水装置。
（６）前記第１の吸気ボックスは、複数の前記インバータの下部に対向する複数の個別孔部を有し、前記インバータの下部に配される第１吸気部材と、前記複数の個別孔部に連通する共通孔部を有し、前記第１吸気部材に積層される第２吸気部材と、前記第２吸気部材に積層され、前記共通孔部を覆うとともに、前記第１のダクトが通るダクト開口を有する第３吸気部材と、を備える、（５）に記載の給水装置。